(57)【要約】【課題】  タッチの操作とスライドの操作とを正確に検出することができる検出装置等を提供すること。【解決手段】  タッチセンサから２つ以上離れたタッチセンサまでスライドされてタッチされないときには、即ちスライドが１つのタッチセンサであったときには、タッチセンサに対するスライドでないとみなしているので、ユーザがスライドするつもりがなく、単にタッチするつもりであって指が少し動いてしまったような場合でも誤操作となるようなことはなくなる。【選択図】  図１３
2006011867.tif 000002
【特許請求の範囲】
【請求項１】
３以上のタッチセンサを順次並べたタッチセンサ列と、
前記複数のタッチセンサに対してスライドしながらタッチされたとき、最初にタッチされたタッチセンサの次にタッチされたタッチセンサへのタッチをスライドしたタッチの判断から除外する手段と
を具備することを特徴とする検出装置。
【請求項２】
請求項１に記載の検出装置において、
前記タッチセンサ列におけるタッチがされる表面は、凹んでいることを特徴とする検出装置。
【請求項３】
請求項１に記載の検出装置において、
前記複数のタッチセンサは直線状に並べられていることを特徴とする検出装置。
【請求項４】
画面を表示する表示部と、
前記表示部の近くに配置され、前記表示部の画面上に表示されることがあるカーソルの移動方向に沿って３以上のタッチセンサを順次並べたタッチセンサ列と、
前記複数のタッチセンサに対してスライドしながらタッチされたとき、最初にタッチされたタッチセンサの次にタッチされたタッチセンサへのタッチをスライドしたタッチの判断から除外する手段と、
前記タッチセンサへのタッチに応じて前記カーソルを移動させる手段と
を具備することを特徴とする表示装置。
【請求項５】
請求項４に記載の表示装置であって、
前記タッチセンサ列におけるタッチがされる表面は、凹んでいることを特徴とする表示装置。
【請求項６】
請求項５に記載の表示装置であって、
前記表示部は、蓄積されたデータに基づいて動画を表示することが可能であって、
前記表示部に前記動画が表示されているときであって、前記タッチセンサがタッチされたときに、前記表示部に表示されている動画を所定時間スキップする手段
を更に具備することを特徴とする表示装置。
【請求項７】
３以上のタッチセンサを順次並べたタッチセンサ列のうち、複数のタッチセンサに対してスライドしながらタッチされたことを検出するステップと、
前記スライドのタッチが検出されたとき、最初にタッチされたタッチセンサの次にタッチされたタッチセンサへのタッチをスライドしたタッチの判断から除外するステップと
を具備することを特徴とする検出方法。
【請求項８】
画面を表示する表示部と、前記表示部の近くに配置され、前記表示部の画面上に表示されることがあるカーソルの移動方向に沿って３以上のタッチセンサを順次並べたタッチセンサ列とを具備する表示装置におけるタッチセンサの検出方法において、
前記３以上のタッチセンサを順次並べたタッチセンサ列のうち、複数のタッチセンサに対してスライドしながらタッチされたことを検出するステップと、
前記スライドのタッチが検出されたとき、最初にタッチされたタッチセンサの次にタッチされたタッチセンサへのタッチをスライドしたタッチの判断から除外するステップと
を具備することを特徴とする表示装置におけるタッチセンサの検出方法。
【発明の詳細な説明】
【技術分野】
【０００１】
本発明は、例えばスライドしながらタッチされたことを検出することが可能な検出装置及びこれに関連する技術に関する。
【背景技術】
【０００２】
タッチセンサをスライドしながらタッチすることに応じて画面上に表示されたカーソルを移動させる技術としては、例えば特許文献１に記載されている。  
【特許文献１】特開平５−１９７４８６号公報
【発明の開示】
【発明が解決しようとする課題】
【０００３】
しかしながら、特許文献１では、タッチされた座標を検出していく方法であるため、ユーザが単にタッチしようとした場合であってもタッチの際に少しでもその場所を動かすとスライドの操作であると誤って検出する、という問題がある。つまり、従来の方法では、単なるタッチの操作とスライドの操作とを正確に判別することができない、という課題がある。
【０００４】
本発明の目的は、タッチの操作とスライドの操作とを正確に検出することができる検出装置及び検出方法、並びにそのような技術を適用した表示装置及び表示方法を提供することにある。
【課題を解決するための手段】
【０００５】
上記目的を達成するため、本発明に係る検出装置は、３以上のタッチセンサを順次並べたタッチセンサ列と、前記複数のタッチセンサに対してスライドしながらタッチされたとき、最初にタッチされたタッチセンサの次にタッチされたタッチセンサへのタッチをスライドしたタッチの判断から除外する手段とを具備することを特徴とする。
【０００６】
本発明に係る表示装置は、画面を表示する表示部と、前記表示部の近くに配置され、前記表示部の画面上に表示されることがあるカーソルの移動方向に沿って３以上のタッチセンサを順次並べたタッチセンサ列と、前記複数のタッチセンサに対してスライドしながらタッチされたとき、最初にタッチされたタッチセンサの次にタッチされたタッチセンサへのタッチをスライドしたタッチの判断から除外する手段と、前記タッチセンサへのタッチに応じて前記カーソルを移動させる手段とを具備することを特徴とする。
【０００７】
本発明の別の観点に係る検出方法は、３以上のタッチセンサを順次並べたタッチセンサ列のうち、複数のタッチセンサに対してスライドしながらタッチされたことを検出するステップと、前記スライドのタッチが検出されたとき、最初にタッチされたタッチセンサの次にタッチされたタッチセンサへのタッチをスライドしたタッチの判断から除外するステップとを具備することを特徴とする。
【０００８】
本発明の更に別の観点に係る検出方法は、画面を表示する表示部と、前記表示部の近くに配置され、前記表示部の画面上に表示されることがあるカーソルの移動方向に沿って３以上のタッチセンサを順次並べたタッチセンサ列とを具備する表示装置におけるタッチセンサの検出方法において、前記３以上のタッチセンサを順次並べたタッチセンサ列のうち、複数のタッチセンサに対してスライドしながらタッチされたことを検出するステップと、前記スライドのタッチが検出されたとき、最初にタッチされたタッチセンサの次にタッチされたタッチセンサへのタッチをスライドしたタッチの判断から除外するステップとを具備することを特徴とする。
【０００９】
本発明では、最初にタッチされたタッチセンサの次にタッチされたタッチセンサへのタッチをスライドしたタッチの判断から除外しているので、ユーザが単にタッチしようとした場合に僅かにその場所を動かしてもスライドの操作とは検出されない。よって、タッチの操作とスライドの操作とを正確に検出することができる。
【００１０】
ここで、前記タッチセンサ列におけるタッチがされる表面は、凹んでいることが好ましい形態である。これにより、後接触による誤動作を防止することができる。  
【００１１】
また、前記複数のタッチセンサは直線状に並べられていることが好ましい形態である。これにより、スライド操作を円滑に行うことができる。  
【００１２】
更に、前記表示部は、蓄積されたデータに基づいて動画を表示することが可能であって、前記表示部に前記動画が表示されているときであって、前記タッチセンサがタッチされたときに、前記表示部に表示されている動画を所定時間スキップする手段を更に具備するように構成しても構わない。これにより、ＣＭのスキップ等を誤動作なく行うことができる。
【発明の効果】
【００１３】
以上のように、本発明によれば、タッチの操作とスライドの操作とを正確に検出することができる。
【発明を実施するための最良の形態】
【００１４】
以下、本発明に係る実施の形態を図面を参照して説明する。
【００１５】
図１は本発明の一実施形態に係る再生装置の外観を示す正面図である。
【００１６】
これの図に示す再生装置１は、例えばＰＤＡのようにいわばハンドヘルドタイプと呼ばれる程度の大きさで、片手で持ちながら映像や静止画を見たり、例えばポケットの中に入れてヘッドフォンを介して音楽を聴いたりすることができるようになっている。また、再生装置１は、ＵＳＢケーブルを介してパソコンに接続したときにパソコン側からみた外付けハードディスク装置として機能する。
【００１７】
図１に示すように、再生装置１の正面には、例えば３．５インチ程度の大きさの液晶装置からなる表示部２が配置されている。図中表示部右側には、操作パネル３が設けられている。
【００１８】
操作パネル３には、タイトルリスト画面でのタブの切り換えやコンテンツ再生画面での再生内容の早送りや、早戻しなどの操作を行うための←ボタン３ａ、→ボタン３ｂ、操作の取り消しや前の画面に戻るとき、ファイルの再生を停止するときに用いられるＢＡＣＫボタン３ｄ、項目の選択や機能を実行、ファイルを再生／表示するときに用いられるＥＮＴＥＲボタン３ｃ、タイトルリスト画面で選択項目を上下方向に送るときに用いられる↑／↓ボタン３ｅが設けられている。
【００１９】
図２は↑／↓ボタン３ｅ（タッチセンサ列）の概念的な平面図である。この↑／↓ボタン３ｅは、概念的には「１」〜「５」までの５つのタッチセンサが直線状に並んでいるように構成される。これらのタッチセンサは表示部２に表示されたカーソルの移動方向に沿って配置されている。これにより、直感性の高い操作が可能である。
【００２０】
実際には、図３に示すように、↑／↓ボタン３ｅでは、３つのタッチセンサ３ｅ１〜３ｅ３が所定の間隔をおいて操作パネル３の裏面に配置され、タッチセンサ３ｅ１だけをタッチしたときには「１」、タッチセンサ３ｅ１と３ｅ２とを跨いでタッチしたときには「２」、タッチセンサ３ｅ２だけをタッチしたときには「３」、タッチセンサ３ｅ２と３ｅ３とを跨いでタッチしたときには「４」、タッチセンサ３ｅ３だけをタッチしたときには「５」をタッチしたものとみなしている。これにより、タッチセンサの数を削減することができる。
【００２１】
図４は図２におけるＡ−Ａ断面を示したもので、↑／↓ボタン３ｅはボタンの表面は凹んでいて誤接触による誤動作を防止することができる。←ボタン３ａ、→ボタン３ｂ、ＢＡＣＫボタン３ｄ、ＥＮＴＥＲボタン３ｃは１つのタッチセンサにより構成され、かつ、図４のように凹んでいる。
【００２２】
図５に示すように、再生装置１の上面部には、点灯パターンによって動作状況（例えば緑の点灯は電源オン、オレンジの点灯は内蔵バッテリの充電中、緑の点滅は接続されたパソコンから内蔵ハードディスクへのアクセス中、オレンジの点滅は内蔵バッテリの容量が少ないことを示す。）が確認できるアクセスランプ４ａ、電源を入れるときや切るときには「ＰＯＷＥＲ」側に１秒以上押し続け、「ＨＯＬＤ」側にセットしておくと操作ボタンを無効にすることが可能な電源スイッチ４ｂ、動画ファイルや音楽ファイルの再生時の音量を調節するための−音量ボタン４ｃ、＋音量ボタン４ｄ、現在表示されている画面で実行できる操作（ツール）のメニューを表示部２に表示させるためのＴＯＯＬＳボタン４ｅが設けられている。
【００２３】
図６に示すように、再生装置１の左側面部には、ヘッドホンコネクタ５ａ、開閉可能なキャップ５ｂが設けられている。図７はキャップ５ｂを開いた状態を示している。キャップ５ｂが開かれた部分には、ＡＣアダプタを接続するためのＤＣ  ＩＮ  コネクタ５ｃ、ＵＳＢケーブルを接続するためのＵＳＢコネクタ５ｄ、本再生装置１で再生する動画の映像をテレビ等に映し出すためのケーブルが接続されるＡＶ  ＯＵＴ  コネクタ５ｅが設けられている。
【００２４】
図８はこの再生装置１の概略構成を示すブロック図である。
【００２５】
同図において、６は２０Ｇバイト程度の記憶容量を有し、音楽データ、映像データ、フォトデータ等を記憶するハードディスク、７はＵＳＢインターフェース部、８は各部の動作を制御すると共にＭＰＥＧデコーダとしても機能するＣＰＵ／ＤＳＰ部である。アナログスイッチ９はＵＳＢコネクタ５ｄにＵＳＢケーブルを介してパソコンが接続されたときに、パソコンからみてハードディスク６だけが見えるようにするためのアナログスイッチである。
【００２６】
ＣＰＵ／ＤＳＰ部８には、フラッシュメモリ１０やＳＤＲＡＭ１１が接続されている。ＣＰＵ／ＤＳＰ部８には、上記の表示部２が接続され、表示部２の裏面又は側面には、バックライト１２が設けられている。電源供給部１３は、表示部２やバックライト１２、アクセスランプ４ａに電源を供給する。
【００２７】
ＣＰＵ／ＤＳＰ部８には、７５Ω程度のインピーダンス整合を図るドライバー１４を介してＡＶ  ＯＵＴ  コネクタ５ｅが接続され、ディジタル・アナログコンバータ１５を介してヘッドホンコネクタ５ａが接続されている。
【００２８】
１６はバッテリバックアップタイプ（電源オフ時に電源が供給され動作している。）のサブＣＰＵであり、バッテリバックアップタイプのメモリ１６ａを内蔵している。サブＣＰＵ１６は、バッテリやそれに伴うアクセスランプ４ａの管理や、レジューム機能の管理等を行う。このサブＣＰＵ１６はＣＰＵ／ＤＳＰ部８や操作パネル３の操作ボタン等のキー部１７と接続されている。   １８はリチウムイオンバッテリであり、バッテリチャージ部１９を介してＤＣ  ＩＮ  コネクタ５ｃと接続されている。また、ＤＣ／ＤＣコンバータ２０はリチウムイオンバッテリ１８のＤＣ電源を３．３Ｖや１．５ＶのＤＣ電源に変換して各部に供給している。
【００２９】
次に、表示部２に表示される画面と操作ボタン等との関係を説明する。
【００３０】
この再生装置１では、電源スイッチ４ｂをオンすると、サブＣＰＵ１６に記憶されていたデータに基づき直近の終了時の状態が再現される（レジューム機能）。
【００３１】
その状態が例えば図９に示すように「Ｖｉｄｅｏ」のタイトルリスト画面が表示されていたとする。この状態から→ボタン３ｂを押す（触れる）と、図１０に示す「Ｍｕｓｉｃ」のタイトルリスト画面が表示され、更に→ボタン３ｂを押すと図１１に示す「Ｐｈｏｔｏ」のタイトルリスト画面が表示され、更に→ボタン３ｂを押すと図１２に示す「Ｓｅｔｕｐ」のタイトルリスト画面が表示される。←ボタン３ａを押した場合には、その逆にタイトルリスト画面が切り替わる。即ち、→ボタン３ｂを押すことで、タイトルリスト画面は「Ｖｉｄｅｏ」、「Ｍｕｓｉｃ」、「Ｐｈｏｔｏ」、「Ｓｅｔｕｐ」の順番で切り替わり、←ボタン３ａを押すことで、タイトルリスト画面は「Ｓｅｔｕｐ」、「Ｐｈｏｔｏ」、「Ｍｕｓｉｃ」、「Ｖｉｄｅｏ」の順番で切り替わる。
【００３２】
そして、これらのタイトルリストから↑／↓ボタン３ｅにより画面内のカーソルを移動させて所定のファイル、例えば映像ファイルを選択し、ＥＮＴＥＲボタン３ｃにより選択したファイルが実行される。例えば、選択された映像ファイルの映像が表示部２から表示されるようになる。
【００３３】
次に、このような↑／↓ボタン３ｅの動作を図１３〜図１４に示すフローチャートに基づき説明する。
（１）現在時間Ｔｃ＝０とリセットしながら↑／↓ボタン３ｅのいずれかのタッチセンサにキータッチがあるかをみている（Ｓ１、Ｓ２）
【００３４】
Ｓ２でキータッチがされたことが検出されると、タッチしたキーをＫ＿ｓｔａｒｔとし、T＿ｓｔａｒｔ＝Ｔｃ（Ｓ３）とするとともに、Ｔｃの時間の計測を開始し（Ｓ４）、所定時間内に指が離れたかどうか（Ｓ５）、タッチされているセンサがスライドされたかどうか（Ｓ６）、タッチされている時間が所定の時間内か（Ｓ７）をみている。
（２）Ｓ５で所定時間内に指が離れたと判断された場合には、短押しキーモードに移行し、短押しコードを発行する（Ｓ８）。
【００３５】
Ｋ＿ｓｔａｒｔが図２における「１」「２」のときにはカーソルをアップするコードを発行する。Ｋ＿ｓｔａｒｔが図２における「４」「５」のときにはカーソルをダウンするコードを発行する。Ｋ＿ｓｔａｒｔが図２における「３」のときにはカーソルを移動するコードは発行しない。
（３）タッチされているセンサがスライドされずに（Ｓ６）、タッチされている時間が所定の時間を越えたとき（Ｓ７）には、長押しキーモードに移行し、長押しコードを発行する（Ｓ９）。T＿ｌｏｎｇ＝Ｔｃとする。
【００３６】
ここで、Ｋ＿ｓｔａｒｔが図２における「１」「２」のときにはカーソルをアップするコードを発行する。Ｋ＿ｓｔａｒｔが図２における「４」「５」のときにはカーソルをダウンするコードを発行する。Ｋ＿ｓｔａｒｔが図２における「３」のときにはカーソルを移動するコードは発行しない。
【００３７】
Ｔｃの時間の計測を開始し（Ｓ１０）、所定時間内に指が離れたかどうか（Ｓ１１）、タッチされているセンサがスライドされたかどうか（Ｓ１２）、タッチされている時間が所定の時間内か（Ｓ１３）をみている。
【００３８】
所定時間内に指が離れたときには、処理を終了する。タッチされているセンサがスライドされずに、タッチされている時間が所定時間を越えたときには、再び長押しキーモードに移行し、長押しコードを発行する（Ｓ９）。
（４）Ｓ６、Ｓ１２において、タッチされているセンサがスライドされたことが検出されたときには、スライドモードに移行する。
【００３９】
ここで、T＿ｓｌｉｄｅ＝Ｔｃ（Ｓ１４）とするとともに、Ｔｃの時間の計測を開始し（Ｓ１５）、指が離れたかどうか（Ｓ１６）、Ｋ＿ｓｔａｒｔのタッチセンサから２つ以上離れたタッチセンサがスライドされてタッチされているかどうか（Ｓ１７）をみている。
【００４０】
Ｋ＿ｓｔａｒｔのタッチセンサから２つ以上離れたタッチセンサまでスライドされてタッチされないおときには、即ちスライドが１つのタッチセンサであったときには、以下のキーコードを発行する（Ｓ１８）。
【００４１】
スライドが上方向の場合には、カーソルをアップするコードを発行する。スライドが下方向の場合には、カーソルをダウンするコードを発行する。スライドしていないときには、次の通りキーコードを発行する。Ｋ＿ｓｔａｒｔが図２における「１」「２」のときにはカーソルをアップするコードを発行する。Ｋ＿ｓｔａｒｔが図２における「４」「５」のときにはカーソルをダウンするコードを発行する。Ｋ＿ｓｔａｒｔが図２における「３」のときにはカーソルを移動するコードは発行しない。
（５）Ｋ＿ｓｔａｒｔのタッチセンサから２つ以上離れたタッチセンサまでスライドされてタッチされたときには、スライドのスピードに応じてカーソルの移動速度を設定し（Ｓ１９）、キーコードを発行する（Ｓ２０）。
【００４２】
０<ｔ１<ｔ２としたときに、Ｔｃ−T＿ｓｌｉｄｅ<ｔ１のときにはスライドのスピードを高速、ｔ１<ｏｒ＝Ｔｃ−T＿ｓｌｉｄｅ<ｔ２のときにはスライドのスピードを中速、ｔ２<ｏｒ＝Ｔｃ−T＿ｓｌｉｄｅのときにはスライドのスピードを低速となるようにしている。ｔｎを適宜設定することで更に細かなスピード設定が可能である。
【００４３】
スライドが上方向の場合には、このように設定されたスピードでカーソルをアップするコードを発行する。スライドが下方向の場合には、このように設定されたスピードでカーソルをダウンするコードを発行する。
（６）Ｓ２０でキーコードを発行した後、キーコードにバイアスを持たせる。即ち、その後、キーコードがアップされたかダウンされたかを検出し（Ｓ２１）、キーコードがアップされたときにはＫｅｙ＿ｂｉａｓ＝ＵＰ（Ｓ２２）、キーコードがダウンされたときにはＫｅｙ＿ｂｉａｓ＝ＤＯＷＮ（Ｓ２３）とする。
【００４４】
ここで、全ての計測時間を現在時間にリセットし（Ｓ２４）、Ｔｃの時間の計測を開始し（Ｓ２５）、指が離れたかどうか（Ｓ２６）、Ｋ＿ｓｔａｒｔのタッチセンサから２つ以上離れたタッチセンサがスライドされてタッチされているかどうか（Ｓ２７）、S１９で設定したキーコードを発行する時間間隔T_cycleをみている。（Ｓ２８）
（７）Ｓ２６で指が離れたことが検出されたときには、処理を終了する。Ｋ＿ｓｔａｒｔのタッチセンサから２つ以上離れたタッチセンサがスライドされてタッチされているときには、Ｓ１９に戻りキーコードを再度発行する（Ｓ２７）。
【００４５】
２つ以上離れたタッチセンサがスライドされてタッチされておらず、しかも、Ｓ２４からＳ１９で設定したT_cycle以上の時間が経過したとき（Ｓ２８）には、Ｓ２２、Ｓ２３で設定されたＫｅｙ＿ｂｉａｓに応じた方向のキーコードを発行する（Ｓ２９）。
【００４６】
このように本実施形態では、タッチセンサから２つ以上離れたタッチセンサまでスライドされてタッチされないおときには、即ちスライドが１つのタッチセンサであったときには、タッチセンサに対するスライドでないとみなしているので、ユーザがスライドするつもりがなく、単にタッチするつもりであって指が少し動いてしまったような場合でも誤操作となるようなことはなくなる。
【００４７】
次に、映像を再生しているときに↑／↓ボタン３ｅを使って例えばＣＭなどをスキップする動作を図１５〜図１６に示すフローチャートに基づき説明する。
（１）現在時間Ｔｃ＝０とリセットしながら↑／↓ボタン３ｅのいずれかのタッチセンサにキータッチがあるかをみている（Ｓ１、Ｓ２）
【００４８】
Ｓ２でキータッチがされたことが検出されると、タッチしたキーをＫ＿ｓｔａｒｔとし、T＿ｓｔａｒｔ＝Ｔｃ（Ｓ３）とするとともに、Ｔｃの時間の計測を開始し（Ｓ４）、所定時間内に指が離れたかどうか（Ｓ５）、タッチされているセンサがスライドされたかどうか（Ｓ６）、タッチされている時間が所定の時間内か（Ｓ７）をみている。
（２）Ｓ５で所定時間内に指が離れたと判断された場合には、短押しキーモードに移行し、スキップキーコードを発行する（Ｓ８）。これにより映像が所定時間、例えば１５秒程度スキップされる。
（３）タッチされているセンサがスライドされずに（Ｓ６）、タッチされている時間が所定の時間を越えたとき（Ｓ７）には、長押しキーモードに移行し、長押しのスキップキーコードを発行するコードを発行する（Ｓ９）。これにより、長押しの時間に応じて映像が所定時間、例えば３０秒、４５秒、、、スキップされる。
【００４９】
Ｔｃの時間の計測を開始し（Ｓ１０）、所定時間内に指が離れたかどうか（Ｓ１１）、タッチされているセンサがスライドされたかどうか（Ｓ１２）、タッチされている時間が所定の時間内か（Ｓ１３）をみている。
【００５０】
所定時間内に指が離れたときには、処理を終了する。タッチされているセンサがスライドされずに、タッチされている時間が所定時間を越えたときには、再び長押しキーモードに移行し、長押しのスキップキーコードを発行する（Ｓ９）。
（４）Ｓ６、Ｓ１２において、タッチされているセンサがスライドされたことが検出されたときには、スライドモードに移行する。
【００５１】
ここで、T＿ｓｌｉｄｅ＝Ｔｃ（Ｓ１４）とするとともに、Ｔｃの時間の計測を開始し（Ｓ１５）、指が離れたかどうか（Ｓ１６）、Ｋ＿ｓｔａｒｔのタッチセンサから２つ以上離れたタッチセンサがスライドされてタッチされているかどうか（Ｓ１７）をみている。
【００５２】
Ｋ＿ｓｔａｒｔのタッチセンサから２つ以上離れたタッチセンサまでスライドされてタッチされないおときには、即ちスライドが１つのタッチセンサであったときには、スキップキーコードを発行する（Ｓ１８）。
（５）Ｋ＿ｓｔａｒｔのタッチセンサから２つ以上離れたタッチセンサまでスライドされてタッチされたときには、スライドのスピードに応じてカーソルの移動速度を設定し（Ｓ１９）、スキップキーコードを発行する（Ｓ２０）。
【００５３】
０<ｔ１<ｔ２としたときに、Ｔｃ−T＿ｓｌｉｄｅ<ｔ１のときにはスライドのスピードを高速、ｔ１<ｏｒ＝Ｔｃ−T＿ｓｌｉｄｅ<ｔ２のときにはスライドのスピードを中速、ｔ２<ｏｒ＝Ｔｃ−T＿ｓｌｉｄｅのときにはスライドのスピードを低速と判断する。
【００５４】
そして、この速度に応じた時間のスキップキーコードを発行する。
（６）Ｓ２０でキーコードを発行した後、キーコードにバイアスを持たせる。即ち、その後、キーコードがアップされたかダウンされたかを検出し（Ｓ２１）、キーコードがアップされたときにはＫｅｙ＿ｂｉａｓ＝ＵＰ（Ｓ２２）、キーコードがダウンされたときにはＫｅｙ＿ｂｉａｓ＝ＤＯＷＮ（Ｓ２３）とする。
【００５５】
ここで、全ての計測時間を現在時間にリセットし（Ｓ２４）、Ｔｃの時間の計測を開始し（Ｓ２５）、指が離れたかどうか（Ｓ２６）、Ｋ＿ｓｔａｒｔのタッチセンサから２つ以上離れたタッチセンサがスライドされてタッチされているかどうか（Ｓ２７）、Ｓ１９で設定したキーコードを発行する時間間隔T_cycleをみている（Ｓ２８）。
【００５６】
Ｓ２６で指が離れたことが検出されたときには、処理を終了する。Ｋ＿ｓｔａｒｔのタッチセンサから２つ以上離れたタッチセンサがスライドされてタッチされているときには、Ｓ１９に戻りスキップキーコードを再度発行する（Ｓ２７）。
【００５７】
２つ以上離れたタッチセンサがスライドされてタッチされておらず、しかも、Ｓ２４からＳ１９で設定したT_cycle以上の時間が経過したとき（Ｓ２８）には、スキップキーコードを発行する（Ｓ２９）。
【００５８】
これにより、ユーザはＣＭなどを簡単な操作でスキップすることが可能となる。
【００５９】
なお、本発明は上記の実施形態に限定されない。
【００６０】
上記の実施形態では、本発明に係る検出装置を再生装置に適用した例を説明したが、ビデオカメラを始め各種の電子機器に適用することが可能である。
【図面の簡単な説明】
【００６１】
【図１】本発明の一実施形態に係る再生装置の外観を示す正面図である。
【図２】↑／↓ボタン（タッチセンサ列）の概念的な平面図である。
【図３】図２の縦断面図である。
【図４】図２のＡ−Ａ断面図である。
【図５】図１に示した再生装置の平面図である。
【図６】図１に示した再生装置の左側面図である。
【図７】図３の側面をキャップを空けた状態を示す図である。
【図８】図１に示した再生装置の概略構成を示すブロック図である。
【図９】図１に示した再生装置の表示部に表示される「Ｖｉｄｅｏ」のタイトルリスト画面を示すである。
【図１０】図１に示した再生装置の表示部に表示される「Ｍｕｓｉｃ」のタイトルリスト画面を示す図である。
【図１１】図１に示した再生装置の表示部に表示される「Ｐｈｏｔｏ」のタイトルリスト画面を示す図である。
【図１２】図１に示した再生装置の表示部に表示される「Ｓｅｔｕｐ」のタイトルリスト画面を示す図である。
【図１３】図１に示した再生装置における↑／↓ボタン（タッチセンサ列）の動作を説明するためのフローチャートである（その１）。
【図１４】図１に示した再生装置における↑／↓ボタン（タッチセンサ列）の動作を説明するためのフローチャートである（その２）。
【図１５】図１に示した再生装置における↑／↓ボタン（タッチセンサ列）を使った映像スキップの動作を説明するためのフローチャートである（その１）。
【図１６】図１に示した再生装置における↑／↓ボタン（タッチセンサ列）を使った映像スキップの動作を説明するためのフローチャートである（その２）。
【符号の説明】
【００６２】
１  再生装置
２  表示部
３  操作パネル
３ｅ  ↑／↓ボタン
３ｅ１〜３ｅ３  タッチセンサ
６  ハードディスク
８  ＣＰＵ／ＤＳＰ部
【図１】
2006011867.tif 000003
【図２】
2006011867.tif 000004
【図３】
2006011867.tif 000005
【図４】
2006011867.tif 000006
【図５】
2006011867.tif 000007
【図６】
2006011867.tif 000008
【図７】
2006011867.tif 000009
【図８】
2006011867.tif 000010
【図９】
2006011867.tif 000011
【図１０】
2006011867.tif 000012
【図１１】
2006011867.tif 000013
【図１２】
2006011867.tif 000014
【図１３】
2006011867.tif 000015
【図１４】
2006011867.tif 000016
【図１５】
2006011867.tif 000017
【図１６】
2006011867.tif 000018